(57)【特許請求の範囲】
【請求項１】
下端同士を下部連結杆をもって連結した左右の支柱を含むフレームに、棚板その他の物品支持部材を設けるとともに、各支柱の下端に、前方を向くベース脚の後端を、垂直の枢軸をもって枢支することにより、前記ベース脚を、前方を向く展開位置と前記下部連結杆の前面に重合する折りたたみ位置とに回動可能とし、後端を前記下部連結杆の適所に、垂直軸まわりに回動可能、かつ上下方向に移動可能として設けた支持杆の前端に前部下向杆を設け、この前部下向杆を、展開位置としたときの前記ベース脚の中間部内面に固着した係合片にあけた上下方向の嵌孔に嵌合しうるとともに、折りたたみ位置としたときの前記ベース脚の前端部内面に設けた水平受片にあけた上下方向の支持孔と、その直上において、前記下部連結杆にあけた支持孔とに嵌合しうるようにしたことを特徴とする商品陳列棚。
【請求項２】
ベース脚を展開位置とした際における係合片に設けた嵌孔の位置と、ベース脚を折りたたみ位置とした際における水平受片の支持孔の位置とから等距離の個所において、下部連結杆には、支持杆の後端に設けた後部下向杆が嵌合するようにした上下方向の貫孔を設けたことを特徴とする請求項１記載の商品陳列棚。
【請求項３】
ベース脚の中間部内面における係合片を、ベース脚を折りたたんだ際、フレームの下部連結杆に適正に嵌合しうる断面内向コ形のものとしたことを特徴とする請求項１または２記載の商品陳列棚。
【請求項４】
支持杆を、フレームの下部連結杆に設けた貫孔、およびベース脚の中間の係合片の嵌孔の双方から抜き外しうるものとしたことを特徴とする請求項１〜３のいずれかに記載の商品陳列棚。
【請求項５】
支持杆を持ち上げて、その前部下向杆をベース脚の中間部内面における係合片から抜き外しても、その後部下向杆は、フレームの下部連結杆の貫孔からは抜け外れないように、後部下向杆の長さを定めてあることを特徴とする請求項２〜４のいずれかに記載の商品陳列棚。
【請求項６】
支持杆の後部下向杆の下端に、フレームの下部連結杆における貫孔からの抜け防止のための係止突起を設けたことを特徴とする請求項５記載の商品陳列棚。
【発明の詳細な説明】
【０００１】
【発明の属する技術分野】
本発明は、前方へ突出するベース脚を折りたたみ可能とした商品陳列棚に関する。
【０００２】
【従来の技術】
フレームにおける左右の支柱の間に、棚板その他の物品支持部材を設けた商品陳列台において、各支柱の下端に設けた前方を向くベース脚を、支柱との連結部である蝶番を中心として、後方へ回転させて折りたたむようにしたものは公知である（例えば実公平３−４２８３３号公報、特開平１０−１５５６１１号公報参照）。
【０００３】
上記した従来の商品陳列台においては、ベース脚を使用状態に展開したり、折りたたんだりした時に、ベース脚を固定保持することに関しては、格別の配慮はなされていなかった。
【０００４】
【発明が解決しようとする課題】
そのため、使用時には、展開したベース脚に棚板を係止したりして、ベース脚を固定保持するようにしているが、地震その他により、棚板が外れたり上向回動したりすると、棚板との係止が脱れたベース脚が内方へ回動してしまい、商品陳列棚が転倒するおそれもあり、危険であった。
【０００５】
また、折りたたんだベース脚が、使用中に振動等により、また運搬中に、自然に前方へ回動して開いてしまうことがあり、周囲の人に思わぬ怪我をさせてしまうおそれもあった。
【０００６】
【課題を解決するための手段】
本発明は、上記した問題を解決することを目的とするもので、その手段は次の如くである。
(１) 下端同士を下部連結杆をもって連結した左右の支柱を含むフレームに、棚板その他の物品支持部材を設けるとともに、各支柱の下端に、前方を向くベース脚の後端を、垂直の枢軸をもって枢支することにより、前記ベース脚を、前方を向く展開位置と前記下部連結杆の前面に重合する折りたたみ位置とに回動可能とし、後端を前記下部連結杆の適所に、垂直軸まわりに回動可能、かつ上下方向に移動可能として設けた支持杆の前端に前部下向杆を設け、この前部下向杆を、展開位置としたときの前記ベース脚の中間部内面に固着した係合片にあけた上下方向の嵌孔に嵌合しうるとともに、折りたたみ位置としたときの前記ベース脚の前端部内面に設けた水平受片にあけた上下方向の支持孔と、その直上において、前記下部連結杆にあけた支持孔とに嵌合しうるようにする。
【０００７】
(２) 上記(１)項において、ベース脚を展開位置とした際における係合片に設けた嵌孔の位置と、ベース脚を折りたたみ位置とした際における水平受片の支持孔の位置とから等距離の個所において、下部連結杆には、支持杆の後端に設けた後部下向杆が嵌合するようにした上下方向の貫孔を設ける。
【０００８】
(３) 上記(１)項または(２)項において、ベース脚の中間部内面における係合片を、ベース脚を折りたたんだ際、フレームの下部連結杆に適正に嵌合しうる断面内向コ形のものとする。
【０００９】
(４) 上記(１)〜(３)項のいずれかにおいて、支持杆を、フレームの下部連結杆に設けた貫孔、およびベース脚の中間の係合片の嵌孔の双方から抜き外しうるものとする。
【００１０】
(５) 上記(２)〜(４)項のいずれかにおいて、支持杆を持ち上げて、その前部下向杆をベース脚の中間部内面における係合片から抜き外しても、その後部下向杆は、フレームの下部連結杆の貫孔からは抜け外れないように、後部下向杆の長さを定めてある。
【００１１】
(６) 上記(５)項において、支持杆の後部下向杆の下端に、フレームの下部連結杆における貫孔からの抜け防止のための係止突起を設ける。
【００１２】
【発明の実施の形態】
図１および図２に示すように、角管からなる左右の支柱(１)(１)の上下端同士を、それぞれ、角管からなる上部連結杆(２)および下部連結杆(３)をもって連結した方形のフレーム(４)の内側には、物品支持部材としての格子(５)が張設されている。
【００１３】
各支柱(１)の前面下端には、図４に示すように、前向コ形の支持枠(６)が止着され、支持枠(６)の上下には、断面縦長方形のベース脚(７)の後端より突設した断面後向コ形の取付枠(８)が嵌合され、かつ支持枠(６)の上下片と取付枠(８)の上下片に穿設された互いに整合する軸孔には、垂直の軸ピン(９)が貫挿されている。
【００１４】
軸ピン(９)の位置は、ベース脚(７)を軸ピン(９)まわりに内向回動させた際、ベース脚(７)が下部連結杆(３)の前面に、おおむね密接状態で重合しうるように定められている。
【００１５】
取付枠(８)を除くベース脚(７)の長さは、下部連結杆(３)の長さの１／２と等しいか、それよりも僅かに短寸としてある。
【００１６】
ベース脚(７)の内側面適所には、ベース脚(７)を前記軸ピン(９)まわりに内向回動させて下部連結杆(３)の前面に重合した際、図５および図６に示すように、下部連結杆(３)に前方から適正に嵌合しうるように、形状および寸法を定めた内向コ形の係合片(10)が固着されている。係合片(10)の上片および下片には、垂直方向に整合する嵌孔(11)(11)があけられている。
【００１７】
また、図５および図６に示すように、ベース脚(７)の前端部内面には、ベース脚(７)を内向回動させて、下部連結杆(３)の前面に重合した際、その下面に重合しうるように位置を定めた水平受片(12)が設けられている。水平受片(12)には、支持孔(13)があけられている。
【００１８】
図３に示すように、ベース脚(７)を前方へ直角に展開した際における係合片(10)の嵌孔(11)の位置と、図５に実線で示すように、ベース脚(７)を折りたたんで、下部連結杆(３)の前面に重合した際における水平受片(12)の支持孔(13)の位置とから等距離の個所において、下部連結杆(３)には、上下方向の貫孔(15)を設けてある。また、ベース脚(７)を下部連結杆(３)の前面に重合した際における水平受片(12)の支持孔(13)の直上の個所において、下部連結杆(３)には、上下方向の支持孔(13)を設けてある。
【００１９】
図１、図３、および図４に示すように、ベース脚(７)を前方に展開した際における前記嵌孔(11)と貫孔(15)には、それぞれ側面視下向扁平コ形の支持杆(16)における前部下向杆(17)と後部下向杆(18)が嵌合されている。
【００２０】
また、図２、図５、および図６に示すように、ベース脚(７)を折りたたんだ際における前記貫孔(15)には、支持杆(16)における後部下向杆(18)が嵌合され、同じく下部連結杆(３)の支持孔(13)と、その直下の水平受片(12)とには、支持杆(16)における前部下向杆(17)が、連続して嵌合されている。
【００２１】
支持杆(16)の後部下向杆(18)は、前部下向杆(17)よりも長寸としてあり、支持杆(16)を持ち上げて、前部下向杆(17)を、ベース脚(７)の中間の係合片(10)の嵌孔(11)から抜き外しても、後部下向杆(18)は、下部連結杆(３)における貫孔(15)より、上方へ完全に抜けることはないようにしてある。
【００２２】
この抜け止めを確実にするために、図示の後部下向杆(18)においては、その下端に、抜け止め用係止突起(19)を形成してある。この係止突起(19)は、例えばナットを固着して形成してもよいし、割ピンを挿入して形成することもできる。
【００２３】
なお、ベース脚(７)の中間部における内向コ形の係合片(10)は、ベース脚(７)を折りたたんだ際に、フレームの下部連結杆(３)に嵌合してベース脚(７)の保持を好適にするとともに、ベース脚(７)の展開時における支持杆(16)の前部下向杆(17)の支持強度を大とする効果がある。
【００２４】
しかし、単に、下部連結杆(３)の貫孔(15)へ挿入した支持杆(16)の前部下向杆(17)を挿入させるのみであれば、係合片を、１枚の水平片からなるものとしてもよい。
【００２５】
なお、下部連結杆(３)の側端部、およびベース脚(７)の前端部下面には、それぞれキャスター(14)が取付けられ、下部連結杆(３)およびベース脚(７)は、床面より浮上支持されている。
【００２６】
【発明の効果】
請求項１および２記載の発明：−
使用時には、ベース脚は直角に前方へ展開した状態で、支持杆により確実に保持され、かつ折りたたみ時には、ベース脚はフレームの下部連結杆の前面に重合されるので、邪魔になることはなく、陳列棚の前面を有効に利用することができる。
また、支持杆の前部下向杆により、展開時のベース脚は強固に保持され、かつベース脚の折りたたみ時には、支持杆の前部下向杆をフレームの下部連結杆の支持孔へ挿入して、がたついたり、邪魔になったりすることがないようにできる。
【００２７】
請求項３記載の発明：−
折りたたんたベース脚を、フレームの下部連結杆に嵌合させて、外れることのないように保持することができる。
【００２８】
請求項４記載の発明：−
支持杆の前後下向杆の関連する孔に対する挿入および抜き外しを、容易に行うことができる。
【００２９】
請求項５記載の発明：−
抜き外した支持杆を紛失するおそれはない。
【００３０】
請求項６記載の発明：−
支持杆の後部下向杆は、決してフレームの下部連結杆から抜け外れることはなく、従ってこれを紛失することはない。
【図面の簡単な説明】
【図１】  本発明の商品陳列棚の一実施形態の使用状態を示す斜視図である。
【図２】  図１に示す商品陳列棚において、ベース脚を折りたたんだ状態を示す斜視図である。
【図３】  図１、図２に示す商品陳列棚において、右側のベース脚を展開した状態における要部平面図である。
【図４】  図３におけるIV−IV線縦断面図である。
【図５】  ベース脚を折りたたんだ状態における図３と同様の図である。
【図６】  図５におけるVI−VI線縦断面図である。
【符号の説明】
(１)支柱
(２)上部連結杆
(３)下部連結杆
(４)フレーム
(５)格子
(６)支持枠
(７)ベース脚
(８)取付枠
(９)軸ピン
(10)係合片
(11)嵌孔
(12)水平受片
(13)支持孔
(14)キャスター
(15)貫孔
(16)支持杆
(17)前部下向杆
(18)後部下向杆
(19)係止突起
【図１】
0004061058.tif 000002
【図２】
0004061058.tif 000003
【図３】
0004061058.tif 000004
【図４】
0004061058.tif 000005
【図５】
0004061058.tif 000006
【図６】
0004061058.tif 000007